(57)【要約】【課題】収容する基板の幅に応じて基板ラックの幅（外寸）を変化させることができる基板ラックの提供を目的とする。【解決手段】一組の対向する側面壁２１Ａ、２１Ｂの内面に基板保持溝２１７Ａ、２１７Ｂが形成された基板ラックを、幅方向に二分割した一組の基板ラック半体１１Ａ、１１Ｂで構成し、基板ラック半体１１Ａ、１１Ｂの下面壁半体４１Ａ、４１Ｂと上面壁半体６１Ａ、６１Ｂの分割側端部に、スライド用突出片４３２Ａ、４３２Ｂ、６３２Ａ、６３２Ｂと、スライド用突出片保持部４３４Ａ、４３４Ｂ、６３４Ａ、６３４Ｂを基板ラック半体の奥行き方向に並んで設け、収容する基板の幅に応じて一組の基板ラック半体１１Ａ、１１Ｂを接近及び離間スライド可能にした。【選択図】図１
2018012532.tif 000002
【特許請求の範囲】
【請求項１】
一組の対向する側面壁の内面に基板保持溝が該側面壁の奥行き方向に沿って形成され、前記側面壁間に基板を収容する基板ラックにおいて、
前記基板ラックは幅方向に二分割された一組の基板ラック半体で構成され、
前記基板ラック半体は、それぞれ一つの前記側面壁と、前記側面壁の下端に相手側基板ラック半体へ向けて突出した下面壁半体と、前記側面壁の上端から相手側基板ラック半体へ向けて突出した上面壁半体とで構成され、
前記下面壁半体と前記上面壁半体は、それぞれ分割側端部にスライド用突出片とスライド用突出片保持部が前記基板ラック半体の奥行き方向に並んで設けられ、
前記一組の基板ラック半体のスライド用突出片が、相手側基板ラック半体のスライド用突出片保持部にスライド可能に配置されて、前記一組の基板ラック半体が互いに接近及び離間スライド可能に組み合わされ、前記一組の基板ラック半体の接近及び離間スライドによって前記一組の側面壁の間隔が調節可能なことを特徴とする基板ラック。
【請求項２】
前記基板ラック半体の下面壁半体と前記上面壁半体は、前記基板ラック半体の外側となる外側プラスチック板と、前記基板ラック半体の内側となる内側プラスチック板と、前記外側プラスチック板と前記内側プラスチック板間に挟まれた中間プラスチック板とが貼り合わされた三層構造からなり、
前記基板ラック半体のスライド用突出片は、前記中間プラスチック板が前記外側プラスチック板と前記内側プラスチック板の分割側端部から相手側基板ラック半体へ向けて突出した部分で構成され、
前記基板ラック半体のスライド用突出片保持部は、前記中間プラスチック板が前記外側プラスチック板と前記内側プラスチック板の分割側端部よりも内方に窪んだ形状にされて、該窪んだ形状部分によって前記外側プラスチック板と前記内側プラスチック板間に形成された開口した隙間で構成され、前記隙間に相手側基板ラック半体の前記スライド用突出片が挿入配置されることを特徴とする請求項１に記載の基板ラック。
【請求項３】
前記基板ラック半体の下面壁半体と上面壁半体は、それぞれ前記外側プラスチック板の分割側端部と前記内側プラスチック板の分割側端部が前記ラック半体の奥行き方向に対して幅方向に傾斜し、かつ前記外側プラスチック板の分割側端部の傾斜と前記内側プラスチック板の分割側端部の傾斜が、互いに反対となっていることを特徴とする請求項２に記載の基板ラック。
【請求項４】
前記一組の基板ラック半体は、前記基板ラック半体の高さ方向に沿う中心線を回転軸とする１８０度回転対称体からなることを特徴とする請求項１から３の何れか一項に記載の基板ラック。
【発明の詳細な説明】
【技術分野】
【０００１】
本発明は、基板の製造ライン等において、製造途中あるいは製造後の基板を一時的に収容保管するのに好適な基板ラックに関する。
【背景技術】
【０００２】
回路や電子部品が設けられた基板の製造ライン等においては、製造途中あるいは製造後の基板を基板ラック（基板収容ボックスあるいは基板搬送容器とも称される）に一時的に収容保管し、次の工程へ順次搬送して工程内容に応じて基板を取り出したり、あるいは再度収容したりすることが行われる。
【０００３】
従来、基板ラックとして、一対の側面壁の対向する内面に基板保持溝が形成され、側面壁の内面間に基板が収容可能にされたボックス状のものがあり、一対の側面壁間隔は一定（固定）であった（特許文献１）。
【０００４】
しかし、基板は、用途や機能等が異なる種々のものが存在し、幅も一定ではないため、幅の異なる基板毎にその幅に応じた基板ラックを用意しなければならず、費用が嵩むのみならず、サイズの異なる基板ラックの保管場所も必要になるなどの問題があった。
【０００５】
また、他の基板ラックとして、支持フレーム内に設けられた一対のガイドフレーム間に基板を収容する構成とし、一対のガイドフレームの少なくとも一方のガイドフレームを他方のガイドフレームに対して接離する方向にスライド可能に構成し、ガイドフレーム間の間隔を基板の幅に調整できるようにした基板ラックがある（特許文献２）。
【０００６】
しかし、支持フレーム内に設けられた一対のガイドフレームをスライドさせてガイドフレーム間の間隔を基板の幅に調整する基板ラックにあっては、基板ラックの外形寸法を規定する支持フレームの幅が固定されているため、収容する基板が幅の小さいものであっても、基板ラックを最大外形寸法から小さくすることができず、基板ラックが大きくて扱い難い問題や基板ラックの保管場所などの問題がある。
【先行技術文献】
【特許文献】
【０００７】
【特許文献１】特開２００６−１５７８号公報
【特許文献２】特開２００８−１１４９６５号公報
【発明の概要】
【発明が解決しようとする課題】
【０００８】
本発明は前記の点に鑑みなされたものであって、収容する基板の幅に応じて基板ラックの幅を変化させることができ、幅の小さい基板を収容する場合には基板ラックの幅（外寸）を小にして嵩張らないようにできる基板ラックの提供を目的とする。
【課題を解決するための手段】
【０００９】
請求項１の発明は、一組の対向する側面壁の内面に基板保持溝が該側面壁の奥行き方向に沿って形成され、前記側面壁間に基板を収容する基板ラックにおいて、前記基板ラックは幅方向に二分割された一組の基板ラック半体で構成され、前記基板ラック半体は、それぞれ一つの前記側面壁と、前記側面壁の下端に相手側基板ラック半体へ向けて突出した下面壁半体と、前記側面壁の上端から相手側基板ラック半体へ向けて突出した上面壁半体とで構成され、前記下面壁半体と前記上面壁半体は、それぞれ分割側端部にスライド用突出片とスライド用突出片保持部が前記基板ラック半体の奥行き方向に並んで設けられ、前記一組の基板ラック半体のスライド用突出片が、相手側基板ラック半体のスライド用突出片保持部にスライド可能に配置されて、前記一組の基板ラック半体が互いに接近及び離間スライド可能に組み合わされ、前記一組の基板ラック半体の接近及び離間スライドによって前記一組の側面壁の間隔が調節可能なことを特徴とする。なお、前記下面壁半体と前記上面壁半体の分割側端部は、それぞれ相手側基板ラック半体を向く側の端部である。また、基板ラックの奥行き方向は、基板ラックの長さ方向とも称される。
【００１０】
請求項２の発明は、請求項１において、前記基板ラック半体の下面壁半体と前記上面壁半体は、前記基板ラック半体の外側となる外側プラスチック板と、前記基板ラック半体の内側となる内側プラスチック板と、前記外側プラスチック板と前記内側プラスチック板間に挟まれた中間プラスチック板とが貼り合わされた三層構造からなり、前記基板ラック半体のスライド用突出片保持部は、前記中間プラスチック板が前記外側プラスチック板と前記内側プラスチック板の分割側端部よりも内方に窪んだ形状にされて、該窪んだ形状部分によって前記外側プラスチック板と前記内側プラスチック板間に形成された開口した隙間で構成され、前記隙間に相手側基板ラック半体の前記スライド用突出片が挿入配置されることを特徴とする。
【００１１】
請求項３の発明は、請求項２において、前記基板ラック半体の下面壁半体と上面壁半体は、それぞれ前記外側プラスチック板の分割側端部と前記内側プラスチック板の分割側端部が前記ラック半体の奥行き方向に対して幅方向に傾斜し、かつ前記外側プラスチック板の分割側端部の傾斜と前記内側プラスチック板の分割側端部の傾斜が、互いに反対となっていることを特徴とする。
【００１２】
請求項４の発明は、請求項１から３の何れか一項において、前記一組の基板ラック半体は、前記基板ラック半体の高さ方向に沿う中心線を回転軸とする１８０度回転対称体からなることを特徴とする。
【発明の効果】
【００１３】
請求項１の発明によれば、収容する基板の幅に応じて、一組の基板ラック半体を接近及び離間スライドさせて一組の側面壁の基板保持溝間隔を調節することができ、一種類の基板ラックで、幅の異なる複数種類の基板に対応することができる。
また、収容する基板の幅に応じて基板ラックの幅（外寸幅）も変化させることができるため、幅の小さい基板ラックを収容する場合には基板ラックの幅（外寸幅）が小になり、無駄に嵩張ることがなくなり、取り扱いが容易になる。
さらに、基板ラックの不使用時に一組の基板ラック半体を接近させておくことにより、基板ラックの幅（外寸幅）を小にすることができるため、基板ラックの保管場所を少なくすることができる。
しかも、一組の基板ラック半体は、離間時に下面壁半体と上面壁半体の分割側端部から突出したスライド用突出片が、相手側基板ラック半体の下面壁半体と上面壁半体の分割側端部に形成されているスライド用突出片保持部に配置されているため、下面壁半体間及び上面壁半体間がスライド用突出片で塞がれ、ゴミなどが基板ラック半体間の上方から侵入する虞がなく、かつ強度も高いものとなる。
【００１４】
請求項２の発明によれば、基板ラック半体の下面壁半体と上面壁半体は、外側プラスチック板と内側プラスチック板と中間プラスチック板の三枚のプラスチック板が貼り合わされた三層構造からなるため、基板ラックの強度が高くなる。また、一組の基板ラック半体のスライド用突出片が、相手側基板ラック半体の下面壁半体と上面壁半体における外側プラスチック板と内側プラスチック板間の開口した隙間（スライド用突出片保持部）に挿入されて、外側プラスチック板と内側プラスチック板で挟まれた状態になるため、一組の基板ラック半体の分割端部間でも強度が大になる。
【００１５】
請求項３の発明によれば、基板ラック半体の下面壁半体と上面壁半体は、それぞれ外側プラスチック板の分割側端部と内側プラスチック板の分割側端部が、基板ラック半体の奥行き方向に対して幅方向に傾斜し、かつ外側プラスチック板の分割側端部の傾斜と内側プラスチック板の分割側端部の傾斜が、互いに反対となっているため、外側プラスチック板の幅が小になる基板ラック半体の奥行き方向一端側では、内側プラスチック板の幅が大になり、また内側プラスチックの幅が小になる基板ラック半体の奥行き方向他端側では、外側プラスチック板の幅が大になり、基板ラック半体の下面壁半体と上面壁半体における強度を高めることができる。
さらに、一組の基板ラック半体における下面壁半体あるいは上面壁半体の分割側端部付近に押す力が加わった場合にも、外側プラスチック板の分割側端部と内側プラスチック板の分割側端部が基板ラック半体の奥行き方向に対して幅方向に傾斜し、かつ外側プラスチック板の分割側端部の傾斜と内側プラスチック板の分割側端部の傾斜が、互いに反対となっているため、一組の基板ラック半体における下面壁半体及び上面壁半体の分割側端部で押圧変形し難くなり、強度を高めることができる。
【００１６】
請求項４の発明によれば、一組の基板ラック半体は、基板ラック半体の高さ方向に沿う中心線を回転軸とする１８０度回転対称体からなるため、同一形状の基板ラック半体の製造で済み、製造が簡略かつ安価になる。
【図面の簡単な説明】
【００１７】
【図１】本発明の一実施形態に係る基板ラックの斜視図である。
【図２】本発明の一実施形態に係る基板ラックの正面図である。
【図３】本発明の一実施形態に係る基板ラック半体の斜視図である。
【図４】下面壁半体の平面図、底面図及びＥ矢視図である。
【図５】下面壁半体の分解斜視図である。
【図６】上面壁半体の平面図、底面図及びＦ矢視図である。
【図７】上面壁半体の分解斜視図である。
【発明を実施するための形態】
【００１８】
図１及び図２に示す本発明の一実施形態に係る基板ラック１０は、回路や電子部品が設けられた基板Ｋ（図２に示す）を収容及び取り出し可能なものであり、幅方向に二分割された一組の基板ラック半体１１Ａ、１１Ｂで構成され、奥行き方向の両端が基板の収容及び取り出し用に開口している。図３に基板ラック半体１１Ａ、１１Ｂを分離させた状態を示す。
前記一組の基板ラック半体１１Ａ、１１Ｂは、側面壁２１Ａ、２１Ｂと、下面壁半体４１Ａ、４１Ｂと上面壁半体６１Ａ、６１Ｂとよりなる。前記基板ラック半体１１Ａと１１Ｂは、基板ラック半体１１Ａ、１１Ｂの高さ方向に沿う中心線（仮想の線であって中心軸とも称される）Ｃを回転軸とする１８０度回転対称体となっている。
【００１９】
前記側面壁２１Ａ、２１Ｂは、外側プラスチック板２１１Ａ、２１１Ｂと内側プラスチック板２１２Ａ、２１２Ｂとが接着剤等で貼り合わされた二層構造からなり、図示の例では平面形状が長方形とされている。外側プラスチック板２１１Ａ、２１１Ｂと内側プラスチック板２１２Ａ、２１２Ｂは、真空成形可能なプラスチック、例えばポリプロピレンやポリスチレンなどからなり、さらには静電気によって基板の部品が破損するのを防止し、また加熱後の基板を収容した際に基板ラック１０が熱変形するのを防止するため、導電性及び耐熱性を有するプラスチックが、より好ましい。また、外側プラスチック板２１１Ａ、２１１Ｂと内側プラスチック板２１２Ａ、２１２Ｂのそれぞれの厚みは、真空成形可能で、かつ所要の強度を有する厚みとされるが、例として０．５〜２．０ｍｍ程度を挙げる。
【００２０】
前記側面壁２１Ａ、２１Ｂの外側プラスチック板２１１Ａ、２１１Ｂは、真空成形によって所定の凹凸形状に賦形され、該凹凸形状によって剛性が高められている。なお、前記外側プラスチック板２１１Ａ、２１１Ｂの外面の中央上部には、横方向の凹状からなる把持用凹部２１４Ｂ（側面壁２１Ａの把持用凹部は図示せず）がそれぞれ形成されている。
【００２１】
前記側面壁２１Ａ、２１Ｂの内側プラスチック板２１２Ａ、２１２Ｂは、真空成形によって所定の凹凸形状に賦形されている。前記内側プラスチック板２１２Ａ、２１２Ｂは、外周縁に所定幅でフランジ部２１５Ａ、２１５Ｂが（外方張り出し部）が形成され、該フランジ部２１５Ａ、２１５Ｂで包囲された部分が相手側基板ラック半体へ向けて屈曲して台状に形成されている。前記フランジ部２１５Ａ、２１５Ｂで包囲された台状部分に、前記基板ラック半体１１Ａ、１１Ｂの奥行き方向に沿う凸部２１６Ａ、２１６Ｂが、前記基板ラック半体１１Ａ、１１Ｂの高さ方向に所定間隔で形成されている。前記凸部２１６Ａ、２１６Ｂ間の溝が基板保持溝２１７Ａ、２１７Ｂを構成している。前記基板保持溝２１７Ａ、２１７Ｂは、一組の基板ラック半体１１Ａ、１１Ｂの対向する側面壁２１Ａ、２１Ｂで対称位置に形成されていり。前記基板保持溝２１７Ａ、２１７Ｂの上下間隔は、前記基板Ｋの部品等が接触せず、かつ基板Ｋの取り出しが容易な間隔にされている。前記基板保持溝２１７Ａ、２１７Ｂの本数は、前記基板ラック１０の上下サイズ等に応じて決定される。なお、図示の例では、前記凸部２１６Ａ、２１６Ｂの中央には、補強用溝２１８Ａ（凸部２１６Ｂの補強用溝は図示せず）が、前記基板ラック半体１１Ａ、１１Ｂの奥行き方向に沿って形成されている。
【００２２】
前記基板ラック半体１１Ａ、１１Ｂの下面壁半体４１Ａ、４１Ｂは、前記側面壁２１Ａ、２１Ｂの下端に相手側の基板ラック半体へ向けて突出して接着剤等で接合されている。前記基板ラック半体１１Ａ、１１Ｂの下面壁半体４１Ａ、４１Ｂは、互いに基板ラック半体１１Ａ、１１Ｂの高さ方向に沿う中心線Ｃを回転軸とする１８０度回転対称体となっている。図４は下面壁半体４１Ａ、４１Ｂの平面図、底面図及びＥ矢視図、図５は下面壁半体１１Ａ、１１Ｂの分解斜視図である。図４及び図５を用いて下面壁半体４１Ａ、４１Ｂを説明する。
【００２３】
前記下面壁半体４１Ａ、４１Ｂは、外側プラスチック板４１１Ａ、４１１Ｂと、内側プラスチック板４２１Ａ、４２１Ｂと、中間プラスチック板４３１Ａ、４３１Ｂとが接着剤等で貼り合わされた三層構造からなる。前記下面壁半体４１Ａ、４１Ｂの外側プラスチック板４１１Ａ、４１１Ｂ、内側プラスチック板４２１Ａ、４２１Ｂ及び中間プラスチック板４３３Ａ、４３３Ｂは、前記側面壁２１Ａ、２１Ｂの外側プラスチック板２１１Ａ、２１１Ｂ及び内側プラスチック板２１２Ａ、２１２Ｂと同様に真空成形可能な材質及び厚みからなる。
【００２４】
前記外側プラスチック板４１１Ａ、４１１Ｂは、前記下面壁半体４１Ａ、４１Ｂの外側を構成する。前記外側プラスチック板４１１Ａ、４１１Ｂの分割側端部４１７Ａ、４１７Ｂは、前記基板ラック半体１１Ａ、１１Ｂの奥行き方向に対して幅方向へ傾斜している。すなわち、一方の基板ラック半体１１Ａにおける外側プラスチック板４１１Ａは、前記基板ラック半体１１Ａの奥行き方向における一端側の幅方向寸法が小、他端側の幅方向寸法が大となっている。なお、他方の基板ラック半体１１Ｂにおける外側プラスチック板４１１Ｂは、前記基板ラック半体１１Ｂの奥行き方向における一端側の幅方向寸法が大、他端側の幅方向寸法が小になる。前記外側プラスチック板４１１Ａ、４１１Ｂにおける分割側端部４１７Ａ、４１７Ｂの一端側(他端側)に、相手側基板ラック半体へ向けて突出した重合用片４１３Ａ、４１３Ｂが形成されており、他端側（一端側）には、相手側基板ラック半体の重合用片４１３Ｂ、４１３Ａが挿入可能な重合用片収容凹部４１４Ａ、４１４Ｂが形成されている。前記重合用片４１３Ａ、４１３Ｂには、ネジ用孔４１５Ａ、４１５Ｂが形成されている。
【００２５】
前記内側プラスチック板４２１Ａ、４２１Ｂは、前記下面壁半体４１Ａ、４１Ｂの内側を構成する。前記内側プラスチック板４２１Ａ、４２１Ｂの分割側端部４２７Ａ、４２７Ｂは、前記基板ラック半体１１Ａ、１１Ｂの奥行き方向に対して、前記外側プラスチック板４１１Ａ、４１１Ｂの分割側端部４１７Ａ、４１７Ｂの傾斜とは反対の傾斜となっている。すなわち、一方の基板ラック半体１１Ａにおける内側プラスチック板４２１Ａは、前記基板ラック半体１１Ａの奥行き方向における一端側の幅方向寸法が大、他端側の幅方向寸法が小となっている。なお、他方の基板ラック半体１１Ｂにおける内側プラスチック板４２１Ｂは、前記基板ラック半体１１Ｂの奥行き方向における一端側の幅方向寸法が小、他端側の幅方向寸法が大になる。
【００２６】
前記内側プラスチック板４２１Ａ、４２１Ｂにおける内側面（基板ラック１０の内方を向く面）には補強リブ４２２Ａ、４２２Ｂが形成されている。前記補強リブ４２２Ａ、４２２Ｂは、前記基板ラック半体１１Ａ、１１Ｂの奥行き方向に対して略平行な部分と、幅方向に対して略平行な部分とで構成されている。前記幅方向に略平行な補強リブの一つに、棒状のスライドガイド部材４２３Ａ、４２３Ｂが先端側を相手側基板ラック半体へ向けて基部側で固定され、また、前記スライドガイド部材４２３Ｂ、４２３Ａの先端側がスライド可能に挿入される筒状の保持部４２４Ａ、４２４Ｂが、それぞれ相手側基板ラック半体へ向けて形成されている。なお、前記スライドガイド部材４２３Ａ、４２３Ｂは、本実施例では金属製角材で構成されている。
【００２７】
また、前記内側プラスチック板４２１Ａ、４２１Ｂには、相手側基板ラック半体における前記外側プラスチック板４１１Ｂ、４１１Ａのネジ用孔４１５Ｂ、４１５Ａと対応する位置に、ネジ用長孔４２５Ａ、４２５Ｂが、前記基板ラック半体１１Ａ、１１Ｂの幅方向に長く形成されている。さらに、前記内側プラスチック板４２１Ａ、４２１Ｂにおける前記基板ラック半体１１Ａ、１１Ｂの奥行き方向の両端付近には、基板外れ防止用棒状部材Ｐ（図１及び図２に示す）を取り外し可能に取り付けるための取付用窪み４２６Ａ、４２６Ｂが形成されている。前記基板外れ防止用棒状部材Ｐは、本実施例では金属棒からなり、一端側にコイルスプリングＳが取り付けられ、他端側に上下位置固定用のワッシャＲが嵌合されている。
【００２８】
前記中間プラスチック板４３１Ａ、４３１Ｂは、前記外側プラスチック板４１１Ａ、４１１Ｂと前記内側プラスチック板４２１Ａ、４２１Ｂ間に挟まれた状態で、前記外側プラスチック板４１１Ａ、４１１Ｂ及び前記内側プラスチック板４２１Ａ、４２１Ｂと接着剤等で貼り合わされている。前記中間プラスチック板４３１Ａ、４３１Ｂは、前記基板ラック半体１１Ａ、１１Ｂの奥行き方向の一端側（他端側）半分にスライド用突出片４３２Ａ、４３２Ｂが形成され、他端側（一端側）半分にスライド用突出片挿入用窪み４３３Ａ、４３３Ｂが形成されている。
【００２９】
前記スライド用突出片４３２Ａ、４３２Ｂは、一方のスライド用突出片４３２Ａが、前記中間プラスチック板４３１Ａにおける前記基板ラック半体１１Ａの奥行き方向の一端側（他端側）半分に形成され、また他方のスライド用突出片４３２Ｂが、前記中間プラスチック板４３１Ｂにおける前記基板ラック半体１１Ｂの奥行き方向の他端側（一端側）半分に形成され、それぞれ前記外側プラスチック板４１１Ａ、４１１Ｂと前記内側プラスチック板４２１Ａ、４２１Ｂの分割側端部よりも相手側基板ラック半体へ向けて突出している。前記スライド用突出片４３２Ａ、４３２Ｂには、前記内側プラスチック板４２１Ａ、４２１Ｂのネジ用長孔４２５Ａ、４２５Ｂと一致する位置に、ネジ用長孔４３５Ａ、４３５Ｂが形成されている。
【００３０】
前記スライド用突出片挿入用窪み４３３Ａ、４３３Ｂは、それぞれ前記中間プラスチック板４３１Ａ、４３１Ｂにおいて前記スライド用突出片４３２Ａ、４３２Ｂに隣接して形成され、前記外側プラスチック板４１１Ａ、４１１Ｂと前記内側プラスチック板４２１Ａ、４２１Ｂの分割側端部よりも内方へ（分割側端部とは反対側端部へ向けて）窪んだ形状となっている。前記スライド用突出片挿入用窪み４３３Ａは、相手側基板ラック半体のスライド用突出片４３２Ｂが挿入配置可能な窪み形状からなり、一方、前記スライド用突出片挿入用窪み４３３Ｂは、相手側基板ラック半体のスライド用突出片４３２Ａが挿入配置可能な窪み形状からなる。
【００３１】
前記スライド用突出片挿入用窪み４３３Ａ、４３３Ｂによって、前記外側プラスチック板４１１Ａ、４１１Ｂと前記内側プラスチック板４２１Ａ、４２１Ｂ間に開口した隙間が形成され、該開口した隙間からなるスライド用突出片保持部４３４Ａ、４３４Ｂが前記スライド用突出片４３２Ａ、４３２Ｂに隣接して形成される。前記開口した隙間からなるスライド用突出片保持部４３４Ａ、４３４Ｂには、相手側基板ラック半体のスライド用突出片４３２Ｂ、４３２Ａが、前記基板ラック１０の幅方向へスライド可能に挿入配置される。
【００３２】
前記上面壁半体６１Ａ、６１Ｂは、外側プラスチック板６１１Ａ、６１１Ｂと、内側プラスチック板６２１Ａ、６２１Ｂと、中間プラスチック板６３１Ａ、６３１Ｂとが接着剤等で貼り合わされた三層構造からなる。前記上面壁半体６１Ａ、６１Ｂの外側プラスチック板６１１Ａ、６１１Ｂ、内側プラスチック板６２１Ａ、６２１Ｂ、中間プラスチック板６３１Ａ、６３１Ｂは、前記下面壁半体４１Ａ、４１Ｂにおける外側プラスチック板４１１Ａ、４１１Ｂ、内側プラスチック板４２１Ａ、４２１Ｂ、中間プラスチック板４３１Ａ、４３１Ｂに相当する。
【００３３】
前記上面壁半体６１Ａ、６１Ｂの外側プラスチック板６１１Ａ、６１１Ｂ、内側プラスチック板６２１Ａ、６２１Ｂ、中間プラスチック板６３１Ａ、６３１Ｂは、前記下面壁半体４１Ａ、４１Ｂにおける外側プラスチック板４１１Ａ、４１１Ｂ、内側プラスチック板４２１Ａ、４２１Ｂ、中間プラスチック板４３１Ａ、４３１Ｂと同様の材質、厚み及び形状からなる。
【００３４】
前記外側プラスチック板６１１Ａ、６１１Ｂは、前記上面壁半体６１Ａ、６１Ｂの外側を構成し、分割側端部６１７Ａ、６１７Ｂが、前記基板ラック半体１１Ａ、１１Ｂの奥行き方向に対して幅方向に傾斜している。すなわち、一方の基板ラック半体１１Ａにおける外側プラスチック板６１１Ａは、前記基板ラック半体１１Ａの奥行き方向における一端側の幅方向寸法が大、他端側の幅方向寸法が小となっている。なお、他方の基板ラック半体１１Ｂにおける外側プラスチック板６１１Ｂは、前記基板ラック半体１１Ｂの奥行き方向における一端側の幅方向寸法が小、他端側の幅方向寸法が大になる。前記分割側端部６１７Ａ、６１７Ｂの一端側(他端側)に、相手側基板ラック半体へ向けて突出した重合用片６１３Ａ、６１３Ｂが形成されており、他端側（一端側）には、相手側基板ラック半体の重合用片６１３Ｂ、６１３Ａが挿入可能な重合用片収容凹部６１４Ａ、６１４Ｂが形成されている。前記重合用片６１３Ａ、６１３Ｂには、ネジ用孔６１５Ａ、６１５Ｂが形成されている。
【００３５】
前記上面壁半体６１Ａ、６１Ｂの内側プラスチック板６２１Ａ、６２１Ｂは、前記上面壁半体６１Ａ、６１Ｂの内側を構成する。前記内側プラスチック板６２１Ａ、６２１Ｂの分割側端部６２７Ａ、６２７Ｂは、前記基板ラック半体１１Ａ、１１Ｂの奥行き方向に対して、前記外側プラスチック板６１１Ａ、６１１Ｂの分割側端部６１７Ａ、６１７Ｂの傾斜とは反対の傾斜となっている。すなわち、一方の基板ラック半体１１Ａにおける内側プラスチック板６２１Ａは、前記基板ラック半体１１Ａの奥行き方向における一端側の幅方向寸法が小、他端側の幅方向寸法が大となっている。なお、他方の基板ラック半体１１Ｂにおける内側プラスチック板６２１Ｂは、前記基板ラック半体１１Ｂの奥行き方向における一端側の幅方向寸法が大、他端側の幅方向寸法が小になる。
【００３６】
前記内側プラスチック板６２１Ａ、６２１Ｂにおける内側面（基板ラック１０の内方を向く面）には補強リブ６２２Ａ、６２２Ｂが形成されている。前記補強リブ６２２Ａ、６２２Ｂは、前記基板ラック半体１１Ａ、１１Ｂの奥行き方向に対して略平行な部分と、幅方向に対して略平行な部分とで構成されている。前記幅方向に略平行な補強リブの一つに、棒状のスライドガイド部材６２３Ａ、６２３Ｂがそれぞれ相手側基板ラック半体へ先端側を向けて基部側で固定され、また、前記スライドガイド部材６２３Ｂ、６２３Ａの先端側がスライド可能に挿入される筒状の保持部６２４Ａ、６２４Ｂが、それぞれ相手側基板ラック半体へ向けて形成されている。
【００３７】
また、前記内側プラスチック板６２１Ａ、６２１Ｂには、前記外側プラスチック板６１１Ａ、６１１Ｂのネジ用孔６１５Ａ、６１５Ｂと対応する位置に、ネジ用長孔６２５Ａ、６２５Ｂが、前記基板ラック半体１１Ａ、１１Ｂの幅方向に長く形成されている。前記内側プラスチック板６２１Ａ、６２１Ｂにおける前記基板ラック半体１１Ａ、１１Ｂの奥行き方向の両端付近には、前記基板外れ防止用棒状部材Ｐを取り外し可能に取り付けるための取付用窪み６２６Ａ、６２６Ｂが形成されている。前記上面壁半体６１Ａ、６１Ｂの取付用窪み６２６Ａ、６２６Ｂは、前記下面壁半体４１Ａ、４１Ｂの取付用窪み４２６Ａ、４２６Ｂに対して上下対称位置に存在する。
【００３８】
前記上面壁半体６１Ａ、６１Ｂの中間プラスチック板６３１Ａ、６３１Ｂは、前記外側プラスチック板６１１Ａ、６１１Ｂと前記内側プラスチック板６２１Ａ、６２１Ｂ間に挟まれた状態で、前記外側プラスチック板６１１Ａ、６１１Ｂ及び前記内側プラスチック板６２１Ａ、６２１Ｂと接着剤等で貼り合わされている。前記中間プラスチック板６３１Ａ、６３１Ｂは、前記基板ラック半体１１Ａ、１１Ｂの奥行き方向の一端側（他端側）半分にスライド用突出片６３２Ａ、６３２Ｂが形成され、他端側（一端側）半分にスライド用突出片挿入用窪み６３３Ａ、６３３Ｂが形成されている。
【００３９】
前記スライド用突出片６３２Ａ、６３２Ｂは、一方のスライド用突出片６３２Ａが前記中間プラスチック板６３１Ａにおける前記基板ラック半体１１Ａの奥行き方向の他端側（一端側）半分に形成され、また他方のスライド用突出片６３２Ｂが前記中間プラスチック板６３１Ｂにおける前記基板ラック半体１１Ｂの奥行き方向の一端側（他端側）半分に形成され、それぞれ前記外側プラスチック板６１１Ａ、６１１Ｂと前記内側プラスチック板６２１Ａ、６２１Ｂの分割側端部よりも相手側基板ラック半体へ向けて突出している。前記スライド用突出片６３２Ａ、６３２Ｂには、前記内側プラスチック板６２１Ａ、６２１Ｂのネジ用長孔６２５Ａ、６２５Ｂと一致する位置に、ネジ用長孔６３５Ａ、６３５Ｂが形成されている。
【００４０】
前記スライド用突出片挿入用窪み６３３Ａ、６３３Ｂは、それぞれ前記スライド用突出片６３２Ａ、６３２Ｂに隣接して形成され、前記外側プラスチック板６１１Ａ、６１１Ｂと前記内側プラスチック板６２１Ａ、６２１Ｂの分割側端部よりも内方へ（分割側端部とは反対側端部へ向けて）窪んだ形状となっている。前記スライド用突出片挿入用窪み６３３Ａは、相手側基板ラック半体のスライド用突出片６３２Ｂが挿入配置可能な窪み形状からなり、一方、前記スライド用突出片挿入用窪み６３３Ｂは、相手側基板ラック半体のスライド用突出片６３２Ａが挿入配置可能な窪み形状からなる。
【００４１】
前記スライド用突出片挿入用窪み６３３Ａ、６３３Ｂによって、前記外側プラスチック板６１１Ａ、６１１Ｂと前記内側プラスチック板６２１Ａ、６２１Ｂ間に開口した隙間が形成され、該開口した隙間からなるスライド用突出片保持部６３４Ａ、６３４Ｂが前記スライド用突出片６３２Ａ、６３２Ｂに隣接して形成される。前記開口した隙間からなるスライド用突出片保持部６３４Ａ、６３４Ｂには、相手側基板ラック半体のスライド用突出片６３２Ｂ、６３２Ａが、前記基板ラック１０の幅方向へスライド可能に挿入配置される。
【００４２】
前記基板ラック半体１１Ａ、１１Ｂの組合せについて以下に説明する。
前記基板ラック半体１１Ａにおける下面壁半体４１Ａのスライド用突出片４３２Ａと上面壁半体６１Ａのスライド用突出片６３２Ａが、前記基板ラック半体１１Ｂにおける下面壁半体４１Ｂのスライド用突出片保持部４３４Ｂと上面壁半体６１Ｂのスライド用突出片保持部６３４Ｂに挿入される。その際、前記基板ラック半体１１Ｂにおける下面壁半体４１Ｂのスライド用突出片４３２Ｂと上面壁半体６１Ｂのスライド用突出片６３２Ｂが、前記基板ラック半体１１Ａにおける下面壁半体４１Ａのスライド用突出片保持部４３４Ａと上面壁半体６１Ａのスライド用突出片保持部６３４Ａに挿入される。
【００４３】
また、前記基板ラック半体１１Ａの下面壁半体４１Ａにおける外側プラスチック板４１１Ａの重合用片４１３Ａと、上面壁半体６１Ａにおける外側プラスチック板６１１Ａの重合用片６１３Ａは、前記基板ラック半体１１Ｂの下面壁半体４１Ｂにおける外側プラスチック板４１１Ｂの重合用片収容凹部４１４Ｂと、上面壁半体６１Ｂにおける外側プラスチック板６１１Ｂの重合用片収容凹部６１４Ｂにそれぞれ収容配置される。また、前記基板ラック半体１１Ｂの下面壁半体４１Ｂにおける外側プラスチック板４１１Ｂの重合用片４１３Ｂと、上面壁半体６１Ｂにおける外側プラスチック板６１１Ｂの重合用片６１３Ｂは、前記基板ラック半体１１Ａの下面壁半体４１Ａにおける外側プラスチック板４１１Ａの重合用片収容凹部４１４Ａと、上面壁半体６１Ａにおける外側プラスチック板６１１Ａの重合用片収容凹部６１４Ａにそれぞれ収容配置される。
【００４４】
前記基板ラック半体１１Ａにおける下面壁半体４１Ａの内側プラスチック板４２１Ａに固定されているスライドガイド部材４２３Ａの先端側と、上面壁半体６１Ａの内側プラスチック板６２１Ａに固定されているスライドガイド部材６２３Ａの先端側が、前記基板ラック半体１１Ｂにおける下面壁半体４１Ｂの内側プラスチック板４２１Ｂに形成されているスライドガイド保持部４２４Ｂと、上面壁半体６１Ｂの内側プラスチック板６２１Ｂに形成されているスライドガイド保持部６２４Ｂにそれぞれスライド可能に挿入される。また、前記基板ラック半体１１Ｂにおける下面壁半体４１Ｂの内側プラスチック板４２１Ｂに固定されているスライドガイド部材４２３Ｂの先端側と、上面壁半体６１Ｂの内側プラスチック板６２１Ｂに固定されているスライドガイド部材６２３Ｂの先端側が、前記基板ラック半体１１Ａにおける下面壁半体４１Ａの内側プラスチック板４２１Ａに形成されているスライドガイド保持部４２４Ａと、上面壁半体６１Ａの内側プラスチック板６２１Ａに形成されているスライドガイド保持部６２４Ａにそれぞれスライド可能に挿入される。
【００４５】
前記基板ラック半体１１Ａ、１１Ｂの組合せによって、前記基板ラック半体１１Ａの下面壁半体４１Ａに形成されているネジ用孔４１５Ａとネジ用長孔４３５Ａ、４２５Ａが、前記基板ラック半体１１Ｂの下面壁半体４１Ｂに形成されているネジ用長孔４３５Ｂ、４２５Ｂとネジ用孔４１５Ｂにそれぞれ位置が一致し、また、前記基板ラック半体１１Ａの上面壁半体６１Ａに形成されているネジ用孔６１５Ａとネジ用長孔６３５Ａ、６２５Ａが、前記基板ラック半体１１Ｂの上面壁半体６１Ｂに形成されているネジ用長孔６３５Ｂ、６２５Ｂとネジ用孔６１５Ｂにそれぞれ位置が一致する。位置が一致した前記ネジ用孔及びネジ用長孔にスライド固定用ネジ部品Ｎを挿入して取り付ける。前記スライド固定用ネジ部品Ｎは、ボルトとナットなどからなる。
【００４６】
前記基板ラック１０は、幅を調整する際、前記スライド固定用ネジ部品Ｎを緩めた状態にし、収容する基板の幅に応じて前記基板ラック半体１１Ａ、１１Ｂを接近、あるいは離すようにスライドさせる。前記基板ラック１０の幅を調整した後、前記スライド固定用ネジ部品Ｎを締め付けて、前記基板ラック半体１１Ａ、１１Ｂを自由にスライドできないように固定する。前記基板ラック１０の幅調整時及び幅調整後において、前記下面壁半体４１Ａ、４１Ｂ間は、前記スライド用突出片４３２Ａ、４３２Ｂによって塞がれ、また前記上面壁半体６１Ａ、６１Ｂ間は、前記スライド用突出片６３２Ａ、６３２Ｂによって塞がれる。なお、前記基板ラック１０に基板を収容した後、前記基板外れ防止用棒状部材Ｐを、前記取付用窪み４２６Ａ、４２６Ｂに取り付けることにより、前記基板ラック１０の搬送等の際に基板ラック１０から基板が外れるのを防ぐことができる。
【００４７】
このように、本発明の基板ラックは、収容する基板の幅に応じて対向する基板保持溝の間隔を変化させることができるため、一種類の基板ラックで異なる幅の基板に対応することができ、基板の幅に合わせて複数種類の基板ラックを用意する必要がなくなる。さらに、本発明の基板ラックは、幅の小さい基板を収容する場合には基板ラックの幅（外寸）を小にして嵩張らないようにでき、また、基板ラックを保管する場合にも基板ラックの幅（外寸）を小にして嵩張らないようにできるため、使用時及び保管時の場所の問題を少なくできる。
【００４８】
なお、本実施例では、各基板ラック半体において下面壁と上面壁は、スライド用突出片の位置等が異なっているが、下面壁と上面壁で同一にしてもよい。
【符号の説明】
【００４９】
１０  基板ラック
１１Ａ、１１Ｂ  基板ラック半体
２１Ａ、２１Ｂ  側面壁
２１１Ａ、２１１Ｂ  側面壁の外側プラスチック板
２１７Ａ、２１７Ｂ  基板保持溝
２１２Ａ、２１２Ｂ  側面壁の内側プラスチック板
４１Ａ、４１Ｂ  下面壁半体
４１１Ａ、４１１Ｂ  下面壁半体の外側プラスチック板
４２１Ａ、４２１Ｂ  下面壁半体の内側プラスチック板
４３１Ａ、４３１Ｂ  下面壁半体の中間プラスチック板
４３２Ａ、４３２Ｂ  下面壁半体のスライド用突出片
４３４Ａ、４３４Ｂ  下面壁半体のスライド用突出片保持部
６１Ａ、６１Ｂ  上面壁半体
６１１Ａ、６１１Ｂ  上面壁半体の外側プラスチック板
６２１Ａ、６２１Ｂ  上面壁半体の内側プラスチック板
６３１Ａ、６３１Ｂ  上面壁半体の中間プラスチック板
６３２Ａ、６３２Ｂ  上面壁半体のスライド用突出片
６３４Ａ、６３４Ｂ  上面壁半体のスライド用突出片保持部
【図１】
2018012532.tif 000003
【図２】
2018012532.tif 000004
【図３】
2018012532.tif 000005
【図４】
2018012532.tif 000006
【図５】
2018012532.tif 000007
【図６】
2018012532.tif 000008
【図７】
2018012532.tif 000009